(57)【要約】【課題】被検体の体内の３次元構造を容易に視認可能にする。【解決手段】第２ＦＰＤ（２１）の上辺と辺を接して直角な姿勢・位置に第１ＦＰＤ（１１）を支持すると共に、第２ＦＰＤ（２１）の右辺と辺を接して直角な姿勢・位置に第３ＦＰＤ（３１）を支持すると、第１ＦＰＤ（１１）と第２ＦＰＤ（２１）と第３ＦＰＤ（３１）とが立方体の隣接する三面の配置となる。これらに被検体の体内の３次元構造の正面画像、上面画像および側面画像を表示する。【効果】実空間と同じ感覚で被検体の体内の３次元構造を視認可能となるので、医師の負担を軽減できる。【選択図】図１
2008257082.tif 000002
【特許請求の範囲】
【請求項１】
第１平面型画像表示器と、前記第１平面型画像表示器を支持する第１平面型画像表示器支持機構と、第２平面型画像表示器と、前記第２平面型画像表示器を支持する第２平面型画像表示器支持機構と、第３平面型画像表示器と、前記第３平面型画像表示器を支持する第３平面型画像表示器支持機構とを具備し、前記第１平面型画像表示器支持機構は前記第２平面型画像表示器の第１の辺と辺を接して直角な姿勢・位置および前記第１の辺と辺を接して平行な姿勢・位置のいずれにも変更可能に前記第１平面型画像表示器を支持し、前記第３平面型画像表示器支持機構は前記第２平面型画像表示器の前記第１の辺に直交する第２の辺と辺を接して直角な姿勢・位置および前記第２の辺と辺を接して平行な姿勢・位置のいずれにも変更可能に前記第３平面型画像表示器を支持することを特徴とする医用マルチディスプレイ装置。
【請求項２】
請求項１に記載の医用マルチディスプレイ装置において、前記第１平面型画像表示器支持機構は、前記第１平面型画像表示器に設置された第１平面型画像表示器側自在継手と、固定台側に設置された第１固定側自在継手と、前記第１平面型画像表示器側自在継手と前記第１固定側自在継手とを伸縮可能に結合する第１連結部材とからなることを特徴とする医用マルチディスプレイ装置。
【請求項３】
請求項２に記載の医用マルチディスプレイ装置において、前記自在継手はボールジョイントであり、前記連結部材はシリンダロッドであることを特徴とする医用マルチディスプレイ装置。
【請求項４】
請求項１から請求項３のいずれかに記載の医用マルチディスプレイ装置において、前記第３平面型画像表示器支持機構は、前記第３平面型画像表示器に設置された第３平面型画像表示器側自在継手と、固定台側に設置された第３固定側自在継手と、前記第３平面型画像表示器側自在継手と前記第３固定側自在継手とを伸縮可能に結合する第３連結部材とからなることを特徴とする医用マルチディスプレイ装置。
【請求項５】
請求項４に記載の医用マルチディスプレイ装置において、前記自在継手はボールジョイントであり、前記連結部材はシリンダロッドであることを特徴とする医用マルチディスプレイ装置。
【請求項６】
請求項１から請求項５のいずれかに記載の医用マルチディスプレイ装置において、前記第２平面型画像表示器支持機構は、前記第２平面型画像表示器の姿勢・位置を変更可能に前記第２平面型画像表示器を支持することを特徴とする医用マルチディスプレイ装置。
【請求項７】
請求項６に記載の医用マルチディスプレイ装置において、前記第２平面型画像表示器支持機構は、前記第２平面型画像表示器に設置された第２平面型画像表示器側自在継手と、固定台側に設置された第２固定側自在継手と、前記第２平面型画像表示器側自在継手と前記第２固定側自在継手とを伸縮可能に結合する第２連結部材とからなることを特徴とする医用マルチディスプレイ装置。
【請求項８】
請求項７に記載の医用マルチディスプレイ装置において、前記自在継手はボールジョイントであり、前記連結部材はシリンダロッドであることを特徴とする医用マルチディスプレイ装置。
【発明の詳細な説明】
【技術分野】
【０００１】
本発明は、医用マルチディスプレイ装置に関し、さらに詳しくは、被検体の体内の３次元構造を容易に視認可能とした医用マルチディスプレイ装置に関する。
【背景技術】
【０００２】
従来、複数（例えば８台）の画像表示器を備え、各画像表示器に医用画像をそれぞれ表示しうるマルチ画像表示装置が知られている（例えば、特許文献１参照。）。
【特許文献１】特開平０５−１２７８５６号公報
【発明の開示】
【発明が解決しようとする課題】
【０００３】
超音波診断装置やＸ線ＣＴ（Computer Tomography）装置やＭＲＩ（Magnetic Resonance Imaging）装置などの画像診断装置により被検体を３次元的に撮影して得たボリュームデータを基に、被検体の体内の正面画像，上面画像，側面画像などを生成することが出来る。そして、生成した正面画像，上面画像，側面画像などを複数の画像表示器にそれぞれ同時に表示すれば、それらを医師が比較観察することが出来る。
しかし、従来装置では、複数の画像表示器を平面的に並べてパネル状に配置したものであったため、どれが正面画像で、どれが上面画像で、どれが側面画像であるかを医師が認識して比較観察する必要があった。また、頭の中で組み立てて、被検体の体内の３次元構造を想像する必要があり、医師に負担がかかる問題点があった。
そこで、本発明の目的は、医師の負担を軽減でき、被検体の体内の３次元構造を容易に視認可能とした医用マルチディスプレイ装置を提供することにある。
【課題を解決するための手段】
【０００４】
第１の観点では、本発明は、第１平面型画像表示器と、前記第１平面型画像表示器を支持する第１平面型画像表示器支持機構と、第２平面型画像表示器と、前記第２平面型画像表示器を支持する第２平面型画像表示器支持機構と、第３平面型画像表示器と、前記第３平面型画像表示器を支持する第３平面型画像表示器支持機構とを具備し、前記第１平面型画像表示器支持機構は前記第２平面型画像表示器の第１の辺と辺を接して直角な姿勢・位置および前記第１の辺と辺を接して平行な姿勢・位置のいずれにも変更可能に前記第１平面型画像表示器を支持し、前記第３平面型画像表示器支持機構は前記第２平面型画像表示器の前記第１の辺に直交する第２の辺と辺を接して直角な姿勢・位置および前記第２の辺と辺を接して平行な姿勢・位置のいずれにも変更可能に前記第３平面型画像表示器を支持することを特徴とする医用マルチディスプレイ装置を提供する。
【０００５】
上記第１の観点による医用マルチディスプレイ装置では、第２平面型画像表示器の第１の辺と辺を接して直角な姿勢・位置に第１平面型画像表示器を支持すると共に、第２平面型画像表示器の第１の辺に直交する第２の辺と辺を接して直角な姿勢・位置に第３平面型画像表示器を支持すると、第１平面型画像表示器と第２平面型画像表示器と第３平面型画像表示器とが立方体の隣接する三面の配置となる。従って、これらに正面画像，上面画像，側面画像をそれぞれ表示すれば、実空間と同じ感覚で被検体の体内の３次元構造を視認可能となり、医師の負担を軽減できる。
【０００６】
また、第２平面型画像表示器の第１の辺と辺を接して平行な姿勢・位置に第１平面型画像表示器を支持すると共に、第２平面型画像表示器の第１の辺に直交する第２の辺と辺を接して平行な姿勢・位置に第３平面型画像表示器を支持すると、正面画像の上に上面画像が在り、正面画像の右に右測面画像が在るので、立方体の隣接する三面の配置よりは劣るが、被検体の体内の３次元構造を想像し易くなり、視線を大きく動かさなくても３面を見られる点では立方体の隣接する三面の配置より優れた配置となる。また、複数の平面型画像表示器を大きな一つの画像表示器として使うことも可能となる。
【０００７】
第２の観点では、本発明は、前記第１の観点による医用マルチディスプレイ装置において、前記第１平面型画像表示器支持機構は、前記第１平面型画像表示器に設置された第１平面型画像表示器側関節部材と、固定台側に設置された第１固定側関節部材と、前記第１平面型画像表示器側関節部材と前記第１固定側関節部材とを伸縮可能に結合する第１連結部材とからなることを特徴とする医用マルチディスプレイ装置を提供する。
上記第２の観点による医用マルチディスプレイ装置では、画像表示器側関節部材と固定台側関節部材と伸縮可能な連結部材とにより、姿勢・位置を変更可能に第１平面型画像表示器を支持することが出来る。
【０００８】
第３の観点では、本発明は、前記第２の観点による医用マルチディスプレイ装置において、前記関節部材はボールジョイントであり、前記連結部材はシリンダロッドであることを特徴とする医用マルチディスプレイ装置を提供する。
上記第３の観点による医用マルチディスプレイ装置では、画像表示器側ボールジョイントと固定台側ボールジョイントとシリンダロッドとにより、姿勢・位置を変更可能に第１平面型画像表示器を支持することが出来る。
【０００９】
第４の観点では、本発明は、前記第１から前記第３のいずれかの観点による医用マルチディスプレイ装置において、前記第３平面型画像表示器支持機構は、前記第３平面型画像表示器に設置された第３平面型画像表示器側関節部材と、固定台側に設置された第３固定側関節部材と、前記第３平面型画像表示器側関節部材と前記第３固定側関節部材とを伸縮可能に結合する第３連結部材とからなることを特徴とする医用マルチディスプレイ装置を提供する。
上記第４の観点による医用マルチディスプレイ装置では、画像表示器側関節部材と固定台側関節部材と伸縮可能な連結部材とにより、姿勢・位置を変更可能に第３平面型画像表示器を支持することが出来る。
【００１０】
第５の観点では、本発明は、前記第４の観点による医用マルチディスプレイ装置において、前記関節部材はボールジョイントであり、前記連結部材はシリンダロッドであることを特徴とする医用マルチディスプレイ装置を提供する。
上記第５の観点による医用マルチディスプレイ装置では、画像表示器側ボールジョイントと固定台側ボールジョイントとシリンダロッドとにより、姿勢・位置を変更可能に第３平面型画像表示器を支持することが出来る。
【００１１】
第６の観点では、本発明は、前記第１から前記第５のいずれかの観点による医用マルチディスプレイ装置において、前記第２平面型画像表示器支持機構は、前記第２平面型画像表示器の姿勢・位置を変更可能に前記第２平面型画像表示器を支持することを特徴とする医用マルチディスプレイ装置を提供する。
上記第６の観点による医用マルチディスプレイ装置では、第２平面型画像表示器の姿勢・位置をも変更可能になるので、位置・姿勢の自由度を向上できる。
【００１２】
第７の観点では、本発明は、前記第６の観点による医用マルチディスプレイ装置において、前記第２平面型画像表示器支持機構は、前記第２平面型画像表示器に設置された第２平面型画像表示器側関節部材と、固定台側に設置された第２固定側関節部材と、前記第２平面型画像表示器側関節部材と前記第２固定側関節部材とを伸縮可能に結合する第２連結部材とからなることを特徴とする医用マルチディスプレイ装置を提供する。
上記第７の観点による医用マルチディスプレイ装置では、画像表示器側関節部材と固定台側関節部材と伸縮可能な連結部材とにより、姿勢・位置を変更可能に第２平面型画像表示器を支持することが出来る。
【００１３】
第８の観点では、本発明は、前記第７の観点による医用マルチディスプレイ装置において、前記関節部材はボールジョイントであり、前記連結部材はシリンダロッドであることを特徴とする医用マルチディスプレイ装置を提供する。
上記第８の観点による医用マルチディスプレイ装置では、画像表示器側ボールジョイントと固定台側ボールジョイントとシリンダロッドとにより、姿勢・位置を変更可能に第２平面型画像表示器を支持することが出来る。
【発明の効果】
【００１４】
本発明の医用マルチディスプレイ装置によれば、実空間と同じ感覚で被検体の体内の３次元構造を視認可能となり、医師の負担を軽減できる。また、正面画像の上に上面画像、正面画像の横に側面画像を配置できるので、被検体の体内の３次元構造を想像し易くなり、医師の負担を軽減できる。さらに、複数の平面型画像表示器を大きな一つの画像表示器として使うことも可能となる。
【発明を実施するための最良の形態】
【００１５】
以下、図に示す実施の形態により本発明をさらに詳細に説明する。なお、これにより本発明が限定されるものではない。
【実施例１】
【００１６】
図１は、実施例１に係る医用マルチディスプレイ装置１００を示す構成説明図である。
この医用マルチディスプレイ装置１００は、第１ＦＰＤ（Flat Panel Display）１１と、第１ＦＰＤ１１の背面に設置された第１ＦＰＤ側関節部材１２と、固定台（図示省略）に設置された第１固定側関節部材１３と、第１ＦＰＤ側関節部材１２と第１固定側関節部材１３とを結合し伸縮可能な第１連結部材１４とを具備している。
【００１７】
また、医用マルチディスプレイ装置１００は、第２ＦＰＤ２１と、第２ＦＰＤ２１の背面に設置された第２ＦＰＤ側関節部材２２と、固定台（図示省略）に設置された第２固定側関節部材２３と、第２ＦＰＤ側関節部材２２と第２固定側関節部材２３とを結合し伸縮可能な第２連結部材２４とを具備している。
【００１８】
また、医用マルチディスプレイ装置１００は、第３ＦＰＤ３１と、第３ＦＰＤ３１の背面に設置された第３ＦＰＤ側関節部材３２と、固定台（図示省略）に設置された第３固定側関節部材３３と、第３ＦＰＤ側関節部材３２と第３固定側関節部材３３とを結合し伸縮可能な第３連結部材３４とを具備している。
【００１９】
第１ＦＰＤ側関節部材１２，第１固定側関節部材１３，第２ＦＰＤ側関節部材２２，第２固定側関節部材２３，第３ＦＰＤ側関節部材３２および第３固定側関節部材３３は、ユニバーサルジョイント（univarsal joints：自在継手）である。例えばボールジョイントである。
【００２０】
第１連結部材１４，第２連結部材２４および第３連結部材３４は、例えばシリンダロッドである。屈曲アームを用いてもよいが、シリンダロッドの方が相互の干渉が少ないため好ましい。
【００２１】
図１に示すように、第２ＦＰＤ２１の上辺と辺を接して直角な姿勢・位置に第１ＦＰＤ１１を支持すると共に、第２ＦＰＤ２１の右辺と辺を接して直角な姿勢・位置に第３ＦＰＤ３１を支持すると、第１ＦＰＤ１１と第２ＦＰＤ２１と第３ＦＰＤ３１とが立方体の隣接する三面の配置となる。
【００２２】
超音波診断装置やＸ線ＣＴ装置やＭＲＩ装置などの画像診断装置により被検体を３次元的に撮影して得たボリュームデータを基に被検体の体内の正面画像，上面画像，右側面画像を生成し、図２に示すように、第１ＦＰＤ１１に上面画像を表示し、第２ＦＰＤ２１に正面画像を表示し、第３ＦＰＤ３１に右側面画像を表示すれば、実空間と同じ感覚で被検体の体内の３次元構造を視認可能となる。よって、医師の負担を軽減できる。
【００２３】
なお、図２では、理解し易くするため、見分け易い正面画像，上面画像，右側面画像を用いて説明した。
しかし、実際の正面画像，上面画像，右側面画像（例えば腎臓や肝臓の正面画像，上面画像，右側面画像）は、どれがどれか見分け難いため、平面上に並べて表示したのでは混乱しやすい。
これに対して、図２のようなＦＰＤ１１，２１，３１の配置で表示すると、混乱なく、３次元構造を視認できるようになる。
【００２４】
図３に示すように、第２ＦＰＤ２１の上辺と下辺を接して平行な姿勢・位置に第１ＦＰＤ１１を支持すると共に、第２ＦＰＤ２１の右辺と左辺を接して平行な姿勢・位置に第３ＦＰＤ３１を支持すると、正面画像の上に上面画像が在り、正面画像の右に右測面画像が在るので、図２の配置よりは劣るが、被検体の体内の３次元構造を想像し易くなる。なお、視線を大きく動かさなくても３面を見られる点では、図２の配置より優れている。また、大きな画面の１つの画像表示器として使うことも出来る。
【００２５】
さらに、ボリュームデータを基に被検体の体内の正面画像，左側面画像，右側面画像を生成し、図４に示すように、第２ＦＰＤ２１の左辺と右辺を接して平行な姿勢・位置に第１ＦＰＤ１１を支持すると共に、第２ＦＰＤ２１の右辺と左辺を接して平行な姿勢・位置に第３ＦＰＤ３１を支持し、第１ＦＰＤ１１に左側面画像を表示し、第２ＦＰＤ２１に正面画像を表示し、第３ＦＰＤ３１に右側面画像を表示すれば、正面画像の左に左側面画像が在り、正面画像の右に右測面画像が在るので、被検体の体内の３次元構造を想像し易くなる。また、大きな画面の１つの画像表示器として使うことも出来る。
【００２６】
図５のように配置し、第１ＦＰＤ１１に左側面画像を表示し、第２ＦＰＤ２１に正面画像を表示し、第３ＦＰＤ３１に右側面画像を表示すれば、実空間と同じ感覚で被検体の体内の３次元構造を視認可能となる。
【００２７】
実施例１の医用マルチディスプレイ装置１００によれば、実空間と同じ感覚で被検体の体内の３次元構造を視認可能となり、医師の負担を軽減できる。また、実空間と類似した配置に画像を配置できるので、被検体の体内の３次元構造を想像し易くなり、医師の負担を軽減できる。さらに、複数の平面型画像表示器を大きな一つの画像表示器として使うことも可能となる。
【産業上の利用可能性】
【００２８】
本発明の医用マルチディスプレイ装置は、超音波診断装置やＸ線ＣＴ装置やＭＲＩ装置などの画像診断装置により被検体を３次元的に撮影して得たボリュームデータを基に被検体の体内の正面画像，上面画像，右側面画像を生成し、これらを同時表示するのに利用できる。
【図面の簡単な説明】
【００２９】
【図１】実施例１に係る医用マルチディスプレイ装置（立方体の三面配置）を示す斜視図である。
【図２】立方体の三面配置での表示画像を示す斜視である。
【図３】実施例１に係る医用マルチディスプレイ装置（実空間と類似した配置）を示す斜視図である。
【図４】実施例１に係る医用マルチディスプレイ装置（一列配置）を示す斜視図である。
【図５】実施例１に係る医用マルチディスプレイ装置（立方体の横三面配置）を示す斜視図である。
【符号の説明】
【００３０】
１１                        第１ＦＰＤ（Flat Panel Display）
１２                        第１ＦＰＤ側関節部材
１３                        第１固定側関節部材
１４                        第１連結部材
２１                        第２ＦＰＤ
２２                        第２ＦＰＤ側関節部材
２３                        第２固定側関節部材
２４                        第２連結部材
３１                        第３ＦＰＤ
３２                        第３ＦＰＤ側関節部材
３３                        第３固定側関節部材
３４                        第３連結部材
１００                      医用マルチディスプレイ装置
【図１】
2008257082.tif 000003
【図２】
2008257082.tif 000004
【図３】
2008257082.tif 000005
【図４】
2008257082.tif 000006
【図５】
2008257082.tif 000007